(57)【要約】【課題】タッチ検出時の応答速度に優れ、輻射ノイズの低減が可能な静電タッチスイッチ装置を提供する。【解決手段】タッチ操作に基づく静電容量を形成する電極を備えたタッチ電極１００と、タッチ操作に基づくタッチ電極１００の静電容量値を検出する容量検出部２１０と、タッチ電極１００に印加される駆動波を生成するパルス発生部であるパルスジェネレータ部２２０と、駆動波のスルーレートを変更するスルーレート変更部２４０と、容量検出部２１０によるタッチ操作の検出結果に基づいて、タッチ電極１００に印加される駆動波のスルーレートの変更を制御する制御部２３０と、を有して静電タッチスイッチ装置１０を構成する。【選択図】図１
2015135543.tif 000002
【特許請求の範囲】
【請求項１】
タッチ操作に基づく静電容量を形成する電極を備えたタッチ電極と、
タッチ操作に基づく前記タッチ電極の静電容量値を検出する容量検出部と、
前記タッチ電極に印加される駆動波を生成するパルス発生部と、
前記駆動波のスルーレートを変更するスルーレート変更部と、
前記容量検出部によるタッチ操作の検出結果に基づいて、前記タッチ電極に印加される前記駆動波のスルーレートの変更を制御する制御部と、
を有することを特徴とする静電タッチスイッチ装置。
【請求項２】
前記制御部は、タッチ操作の複数レベルの検出結果に基づいて、前記駆動波のスルーレートを前記複数レベルに応じて変更することを特徴とする請求項１に記載の静電タッチスイッチ装置。
【請求項３】
前記パルス発生部は、前記タッチ電極の検出する容量値に比例して、前記スルーレートを大きくして前記タッチ電極に印加することを特徴とする請求項２に記載の静電タッチスイッチ装置。
【請求項４】
前記スルーレート変更部は、前記制御部からの制御信号に基づいて、抵抗を介して前記タッチ電極に接続されるか抵抗を介さずに前記タッチ電極に接続されるかの切替回路により構成されていることを特徴とする請求項１に記載の静電タッチスイッチ装置。
【請求項５】
前記制御部は、前記パルス発生部及び前記スルーレート変更部を内部に備え、前記パルス発生部で生成する前記駆動波のスルーレートを変更して前記タッチ電極に印加することを特徴とする請求項１に記載の静電タッチスイッチ装置。
【請求項６】
前記パルス発生部は、複数の周波数で駆動波を生成し、前記容量検出部によるタッチ操作の検出結果に基づいて、異なる周波数の駆動波を前記タッチ電極に印加することを特徴とする請求項１から３のいずれか１項に記載の静電タッチスイッチ装置。
【請求項７】
前記パルス発生部は、前記タッチ電極の検出する容量値に比例して、前記周波数を大きくして前記タッチ電極に印加することを特徴とする請求項６に記載の静電タッチスイッチ装置。
【発明の詳細な説明】
【技術分野】
【０００１】
本発明は、静電タッチスイッチ装置に関し、特に、輻射ノイズの小さい静電タッチスイッチ装置に関する。
【背景技術】
【０００２】
従来のタッチスイッチ装置として、操作部表面に金属膜が電極として形成され、タッチされる操作者の手指と電極との間で可変コンデンサを構成して電極へのタッチにより静電容量変化を検出してスイッチ検出を行なう静電タッチスイッチ装置がある（例えば、特許文献１）。この静電タッチスイッチ装置の電極には、所定の周波数の交流信号が印加されており、手指が電極に近接または接触することにより、交流信号レベルの低下を検出回路により検出することでタッチによるスイッチ動作を検出するとされている。
【０００３】
一方、電極を駆動する駆動パルスの立ち上がり及び立ち下がりの途中波形を変化させてノイズの影響を緩和するタッチ検出装置が提案されている（例えば、特許文献２）。複数のＹ電極及びＸ電極によって複数の交点容量が形成されたタッチセンサパネルのＹ電極を駆動する駆動回路が立ち上がり及び立ち下がりの途中波形が可変可能に設定された駆動駆動波をＹ電極に出力するようにする。このためにこの駆動回路は、複数の駆動電圧の中から所要の駆動電圧を選択するスイッチ回路を有し、波形モードに応じてスイッチ回路のスイッチ制御を行なう構成とされている。
【先行技術文献】
【特許文献】
【０００４】
【特許文献１】特開２００８−２８２７２４号  公報
【特許文献２】特開２０１２−２３４４７５号  公報
【発明の概要】
【発明が解決しようとする課題】
【０００５】
特許文献２のタッチ検出装置では、駆動波形の立ち上がりと立ち下がりの途中波形を可変可能に制御するために、サブシステム用のマイクロプロセッサが制御レジスタに設定する波形モードに従って制御信号をシーケンス制御回路で制御する。しかし、駆動波形の立ち上がりと立ち下がりのスルーレートを低下させることにより輻射ノイズを低減させるので、タッチ検出時の応答速度を劣化させるという問題があった。
【０００６】
したがって、本発明の目的は、タッチ検出時の応答速度に優れ、輻射ノイズの低減が可能な静電タッチスイッチ装置を提供することにある。
【課題を解決するための手段】
【０００７】
［１］上記目的を達成するため、タッチ操作に基づく静電容量を形成する電極を備えたタッチ電極と、タッチ操作に基づく前記タッチ電極の静電容量値を検出する容量検出部と、前記タッチ電極に印加される駆動波を生成するパルス発生部と、前記駆動波のスルーレートを変更するスルーレート変更部と、前記容量検出部によるタッチ操作の検出結果に基づいて、前記タッチ電極に印加される前記駆動波のスルーレートの変更を制御する制御部と、を有することを特徴とする静電タッチスイッチ装置を提供する。
【０００８】
［２］前記制御部は、タッチ操作の複数レベルの検出結果に基づいて、前記駆動波のスルーレートを前記複数レベルに応じて変更することを特徴とする上記［１］に記載の静電タッチスイッチ装置であってもよい。
【０００９】
［３］また、前記パルス発生部は、前記タッチ電極の検出する容量値に比例して、前記スルーレートを大きくして前記タッチ電極に印加することを特徴とする上記［２］に記載の静電タッチスイッチ装置であってもよい。
【００１０】
［４］また、前記スルーレート変更部は、前記制御部からの制御信号に基づいて、抵抗を介して前記タッチ電極に接続されるか抵抗を介さずに前記タッチ電極に接続されるかの切替回路により構成されていることを特徴とする上記［１］に記載の静電タッチスイッチ装置であってもよい。
【００１１】
［５］また、前記制御部は、前記パルス発生部及び前記スルーレート変更部を内部に備え、前記パルス発生部で生成する前記駆動波のスルーレートを変更して前記タッチ電極に印加することを特徴とする上記［１］に記載の静電タッチスイッチ装置であってもよい。
【００１２】
［６］また、前記パルス発生部は、複数の周波数で駆動波を生成し、前記容量検出部によるタッチ操作の検出結果に基づいて、異なる周波数の駆動波を前記タッチ電極に印加することを特徴とする上記［１］から［３］のいずれか１に記載の静電タッチスイッチ装置であってもよい。
［７］また、前記パルス発生部は、前記タッチ電極の検出する容量値に比例して、前記周波数を大きくして前記タッチ電極に印加することを特徴とする上記［６］に記載の静電タッチスイッチ装置であってもよい。
【発明の効果】
【００１３】
本発明の静電タッチスイッチ装置によれば、タッチ検出時の応答速度に優れ、輻射ノイズの低減が可能な静電タッチスイッチ装置を提供することができる。
【図面の簡単な説明】
【００１４】
【図１】図１は、本発明の実施の形態に係る静電タッチスイッチ装置のシステム構成を示すブロック図である。
【図２】図２は、本発明の第１の実施の形態に係る静電タッチスイッチ装置における（ａ）非タッチ時のパルス波形と（ｂ）タッチ時のパルス波形を示すパルス波形図である。
【図３】図３は、本発明の第１の実施の形態に係る静電タッチスイッチ装置におけるタッチ電極駆動の動作フローを示すフローチャートである。
【図４】図４は、（ａ）非タッチ時と（ｂ）タッチ時のそれぞれの場合に、電極からの電界（輻射する輻射ノイズ）の様子を示す図である。
【図５】図５は、本発明の第２の実施の形態に係る静電タッチスイッチ装置における（ａ）非タッチ時のパルス波形と（ｂ）タッチ時のパルス波形を示すパルス波形図である。
【図６】図６は、本発明の第２の実施の形態に係る静電タッチスイッチ装置におけるタッチ電極駆動の動作フローを示すフローチャートである。
【図７】図７は、本発明の第３の実施の形態に係る静電タッチスイッチ装置における（ａ）タッチ容量、（ｂ）非タッチ時のパルス波形、（ｃ）タッチ時のパルス波形を示す波形図である。
【図８】図８は、本発明の第３の実施の形態に係る静電タッチスイッチ装置におけるタッチ電極駆動の動作フローを示すフローチャートである。
【発明を実施するための形態】
【００１５】
（本発明の第１の実施の形態）
（静電タッチスイッチ装置の構成）
図１は、本発明の実施の形態に係る静電タッチスイッチ装置のシステム構成を示すブロック図である。図２は、本発明の第１の実施の形態に係る静電タッチスイッチ装置における（ａ）非タッチ時のパルス波形と（ｂ）タッチ時のパルス波形を示すパルス波形図である。また、図３は、本発明の第１の実施の形態に係る静電タッチスイッチ装置におけるタッチ電極駆動の動作フローを示すフローチャートである。
【００１６】
本発明の実施の形態に係る静電タッチスイッチ装置１０は、操作者がタッチ電極にタッチ操作することにより静電容量が変化して静電タッチスイッチ動作を行なうことができるものである。タッチ電極は、１つ、複数個が列状に配置されたもの、交差する方向に２次元配列されたもの等に適用できる。このタッチ電極をチャージする駆動波（パルス波）、すなわち、タッチ電極にチャージ電圧を印加するパルス波形のスルーレートを動的に変更することにより、タッチ時の応答速度を劣化させることなく、輻射ノイズのレベルを低下させるものである。
【００１７】
（静電タッチスイッチ装置の構成）
本発明の実施の形態に係る静電タッチスイッチ装置１０は、タッチ操作に基づく静電容量を形成する電極を備えたタッチ電極１００と、タッチ操作に基づくタッチ電極１００の静電容量値を検出する容量検出部２１０と、タッチ電極１００に印加される駆動波を生成するパルス発生部であるパルスジェネレータ部２２０と、駆動波のスルーレートを変更するスルーレート変更部２４０と、容量検出部２１０によるタッチ操作の検出結果に基づいて、タッチ電極１００に印加される駆動波のスルーレートの変更を制御する制御部２３０と、を有して構成されている。
【００１８】
図１に示すように、タッチ電極１００は、その一端がスルーレート変更部２４０に接続され、スルーレート変更部２４０にはパルスジェネレータ部２２０から所定のスルーレートに設定された駆動波が印加される。なお、パルスジェネレータ部２２０は、容量検出部２１０、制御部２３０と共に、マイコン２００の内部に備えられている。
【００１９】
タッチ電極１００の他端は、バッファ３１０を介してＡ/Ｄ変換器３２０に接続され、Ａ/Ｄ変換器３２０は、マイコン２００の入力端に接続されている。
【００２０】
タッチ電極１００が複数ある場合は、上記の構成が並列に接続されてマイコン２００に多チャンネルで入力されるか、複数のタッチ電極がマルチプレクサ等の切り替え手段により時系列信号としてマイコン２００に入力される。また、上記構成の組み合わせにより構成されてもよい。
【００２１】
タッチ電極１００は、例えば、２枚の金属板が誘電層を介して対向して配置された構成とされている。指等の検出対象物がタッチされるタッチ面には樹脂等の誘電体保護層が形成され、指等がタッチされると、タッチ電極１００の静電容量値は増加する。タッチ電極１００へのタッチ、非タッチは静電容量変化として出力されるので、Ａ/Ｄ変換することにより静電容量検出が可能である。
【００２２】
マイコン２００は、いわゆる１チップマイコンを使用し、その内部に、上記したような容量検出部２１０、パルスジェネレータ部２２０、制御部２３０等を有する。
【００２３】
容量検出部２１０は、タッチ電極の出力をＡ/Ｄ変換したパルス数をカウントするカウンタ等により構成することができる。タッチ電極１００へのタッチ、非タッチにより変化する静電容量変化に応じて出力されるパルスをカウントすることにより、タッチ電極１００の静電容量値、すなわちタッチ容量Ｃｔを検出する。また、検出されたタッチ容量Ｃｔに基づいて、タッチ電極１００へのタッチ、非タッチを検出することができる。
【００２４】
パルスジェネレータ部２２０は、マイコン内部で任意のパルス信号を生成するパルス発生部であり、任意の周波数、デューティで矩形波、台形波等のパルス波を生成し、タッチ電極１００をチャージするための駆動波を生成することができる。また、台形波の立ち上り、立ち下りのスルーレートを任意に設定することができる。
【００２５】
制御部２３０は、記憶されたプログラムに基づいて、後述のフローチャートの動作を行なう部分であり、ＣＰＵ等により実行される。
【００２６】
スルーレート変更部２４０は、パルスジェネレータ部２２０で生成した駆動波のスルーレートを変更する回路である。マイコン２００の制御部２３０からの信号に基づいて、抵抗Ｒあり又は抵抗なしに切り替える回路である。抵抗なしの状態ではパルスジェネレータ部２２０からの駆動波はそのままのパルス波形でタッチ電極１００へ印加され、抵抗Ｒありの状態ではパルスジェネレータ部２２０からの駆動波は時定数が変化することからスルーレートが小さくなるように変更された状態でタッチ電極１００へ印加される。
【００２７】
図２は、本発明の第１の実施の形態に係る静電タッチスイッチ装置における（ａ）非タッチ時のパルス波Ｓ１１と（ｂ）タッチ時のパルス波Ｓ１２を示すパルス波形図である。
【００２８】
ここで、図２（ｂ）で示すタッチ時の駆動波は、パルスジェネレータ部２２０から出力されるパルス波Ｓ１２である。このパルス波Ｓ１２は、例えば、２００ｋＨｚの台形波であり、スルーレートＳＲ２＝１６．７Ｖ/μｓである。
【００２９】
一方、図２（ａ）で示す非タッチ時の駆動波は、パルスジェネレータ部２２０から出力されるパルス波Ｓ１２がスルーレート変更部２４０の抵抗Ｒを通過した後のパルス波Ｓ１１である。パルス波Ｓ１２が抵抗Ｒを通過することにより、図に示す立上り点Ｐ１、立下り点Ｐ２でのスルーレートが、ＳＲ２＝１６．７Ｖ/μｓからＳＲ１＝１０Ｖ/μｓに小さくなるように変更されている。なお、周波数、デューティは変化しない。
【００３０】
（静電タッチスイッチ装置の動作）
図３は、本発明の第１の実施の形態に係る静電タッチスイッチ装置におけるタッチ電極駆動の動作フローを示すフローチャートである。以下、このフローチャートのステップに従って動作を説明する。
【００３１】
静電タッチスイッチ装置１０のタッチ電極駆動の動作フローがスタートすると、まず、マイコン２００により初期設定が行われる。制御部２３０は、駆動波として所定の周波数、スルーレートを有する台形波として図２（ｂ）で示すパルス波Ｓ１２を生成する（Ｓｔｅｐ０１）。初期設定値は、パルス波Ｓ１２は、周波数２００ｋＨｚ、スルーレートＳＲ２＝１６．７Ｖ/μｓの台形波である。
【００３２】
制御部２３０は、パルスジェネレータ部２２０で生成した駆動波によりタッチ電極１００を駆動する（Ｓｔｅｐ０２）。なお、初期状態では、制御部２３０はスルーレート変更部２４０を抵抗ありに切り替え制御した状態とするので、パルス波Ｓ１２はパルス波Ｓ１１に変更された状態でタッチ電極１００を駆動する。
【００３３】
マイコン２００は、制御部２３０において、Ａ/Ｄ変換器３２０から容量検出部２１０に入力される値に基づいてタッチ容量Ｃｔを算出する。このタッチ容量Ｃｔが所定の閾値を超えたかどうかにより、タッチ電極１００へ指等の検出対象物がタッチしたかどうかのタッチ検出を行なう（Ｓｔｅｐ０３）。タッチ検出した場合はＳｔｅｐ０４へ進み、タッチ検出しない場合はＳｔｅｐ０５へ進む。
【００３４】
タッチ検出した場合は、スルーレート変更部２４０を抵抗なしに切り替え制御して、スルーレートを大きくする。すなわち、スルーレートＳＲ２＝１６．７Ｖ/μｓに設定する（Ｓｔｅｐ０４）。その後、Ｓｔｅｐ０２、０３へ戻り、電極駆動、タッチ検出の有無判断を繰り返す。
【００３５】
タッチ検出しない場合は、スルーレート変更部２４０を抵抗Ｒありに切り替え制御して、スルーレートを小さくする。すなわち、スルーレートＳＲ１＝１０Ｖ/μｓに設定する（Ｓｔｅｐ０５）。その後、Ｓｔｅｐ０２、０３へ戻り、電極駆動、タッチ検出の有無判断を繰り返す。
【００３６】
上記のフローは、停止の割込み信号が入力されるまで繰り返し実行される。
【００３７】
図４は、（ａ）非タッチ時と（ｂ）タッチ時のそれぞれの場合に、電極からの電界（輻射する輻射ノイズ）の様子を示す図である。電極１００Ａ、１００Ｂは、２つ並列された状態を示す。
【００３８】
図４（ａ）に示す非タッチ時はタッチ時に比べて、スルーレートは小さい状態である。したがって、電極１００Ａ、１００Ｂからの電界５００は小さく、これによる輻射ノイズも小さい。
【００３９】
一方、図４（ｂ）に示すタッチ時は非タッチ時に比べて、スルーレートは大きい状態である。しかし、図４（ｂ）に示すように、指４００が電極１００Ａにタッチしているので、電極１００Ａからの電界５００の大部分が吸収される。これにより、輻射ノイズは大幅に低減する。また、周辺の電極１００Ｂからの電界５００の一部も吸収され、輻射ノイズは低減する。
【００４０】
以上から、タッチ時、非タッチ時に応じてスルーレートを変化させることにより、いずれの場合でも輻射ノイズが低減した状態で電極１００の駆動を行なうことができる。
【００４１】
（第１の実施の形態の効果）
本発明の第１の実施の形態によれば、次のような効果を有する。
（１）タッチ時にスルーレートを大きく設定し、非タッチ時にスルーレートを小さく設定することにより、電極の応答速度を低下させることがない。同時に、タッチ時、非タッチ時に応じてスルーレートを変化させることにより、いずれの場合でも輻射ノイズが低減した状態で電極の駆動を行なうことができる。したがって、タッチ検出時の応答速度に優れ、輻射ノイズの低減が可能な静電タッチスイッチ装置を提供することが可能となる。
（２）スルーレートを変化させることにより、駆動波の高調波成分による電界が抑制でき、これにより非タッチ時の輻射ノイズが低減できる。非タッチ時は、指等のノイズ吸収体がないので、スルーレートを小さくする変更は輻射ノイズの低減に有効である。
（３）スルーレートを変化させる手段として、抵抗あり、抵抗なしの切替回路で構成されるスルーレート変更部を採用することにより、簡単な構成によりスルーレートを変化させることができる。また、複数の抵抗値に切り替える回路により、スルーレートを多段で変化させることも可能である。
【００４２】
（本発明の第２の実施の形態）
第２の実施の形態に係る静電タッチスイッチ装置１０は、スルーレートの変更と共に、周波数の変更も可能とされた構成である。周波数の変更は、パルスジェネレータ部２２０で行なうことができ、スルーレートの変更もこのパルスジェネレータ部２２０で行なうことができる。なお、スルーレートの変更は、第１の実施の形態と同様に、スルーレート変更部２４０でハード的に行なうことも可能である。その他の構成は第１の実施の形態と同様であるので、説明は省略する。
【００４３】
図５は、本発明の第２の実施の形態に係る静電タッチスイッチ装置における（ａ）非タッチ時のパルス波Ｓ２１と（ｂ）タッチ時のパルス波Ｓ２２を示すパルス波形図である。
【００４４】
ここで、図５（ａ）で示す非タッチ時の駆動波は、パルスジェネレータ部２２０から出力されるパルス波Ｓ２１である。このパルス波Ｓ２１は、例えば、２００ｋＨｚの台形波であり、スルーレートＳＲ１＝１０Ｖ/μｓである。
【００４５】
一方、図５（ｂ）で示すタッチ時の駆動波は、パルスジェネレータ部２２０から出力されるパルス波Ｓ２２である。このパルス波Ｓ２２は、例えば、３００ｋＨｚの台形波であり、スルーレートＳＲ２＝１６．７Ｖ/μｓである。
【００４６】
パルスジェネレータ部２２０は、制御部２３０からの信号により、生成パルスの周波数、デューティ、スルーレート等を任意に変更することができる。
【００４７】
（静電タッチスイッチ装置の動作）
図６は、本発明の第２の実施の形態に係る静電タッチスイッチ装置におけるタッチ電極駆動の動作フローを示すフローチャートである。以下、このフローチャートのステップに従って動作を説明する。
【００４８】
静電タッチスイッチ装置１０のタッチ電極駆動の動作フローがスタートすると、まず、マイコン２００により初期設定が行われる。制御部２３０は、駆動波として所定の周波数、スルーレートを有する台形波として図５（ａ）で示すパルス波Ｓ２１を生成する（Ｓｔｅｐ１１）。初期設定値は、パルス波Ｓ２１であり、周波数２００ｋＨｚ、スルーレートＳＲ１＝１０Ｖ/μｓの台形波である。
【００４９】
制御部２３０は、パルス波Ｓ２１でタッチ電極１００を駆動する（Ｓｔｅｐ１２）。
【００５０】
マイコン２００は、制御部２３０において、Ａ/Ｄ変換器３２０から容量検出部２１０に入力される値に基づいてタッチ容量Ｃｔを算出する。このタッチ容量Ｃｔが所定の閾値を超えたかどうかにより、タッチ電極１００へ指等の検出対象物がタッチしたかどうかのタッチ検出を行なう（Ｓｔｅｐ１３）。タッチ検出した場合はＳｔｅｐ１４へ進み、タッチ検出しない場合はＳｔｅｐ１５へ進む。
【００５１】
タッチ検出した場合は、パルスジェネレータ部２２０においてスルーレートを大きくする。すなわち、スルーレートＳＲ２＝１６．７Ｖ/μｓに設定する（Ｓｔｅｐ１４）。また、パルス周波数を３００ｋＨＺに設定する。その後、Ｓｔｅｐ１２、１３へ戻り、電極駆動、タッチ検出の有無判断を繰り返す。
【００５２】
タッチ検出しない場合は、パルスジェネレータ部２２０においてスルーレートを小さくする。すなわち、スルーレートＳＲ１＝１０Ｖ/μｓに設定する（Ｓｔｅｐ１５）。また、パルス周波数を２００ｋＨＺに設定する。その後、Ｓｔｅｐ１２、１３へ戻り、電極駆動、タッチ検出の有無判断を繰り返す。
【００５３】
上記のフローは、停止の割込み信号が入力されるまで繰り返し実行される。
【００５４】
（第２の実施の形態の効果）
本発明の第２の実施の形態によれば、第１の実施の形態の効果に加えて次のような効果を有する。
（１）タッチ検出した場合は、駆動波のパルス周波数をタッチ検出しない場合よりも高く設定するように周波数変更を行なう。これにより、電極の応答速度を低下させることがない。なお、タッチ時に周波数を高く変更しても、指等のノイズ吸収体により電極からの電界が吸収されるので、輻射ノイズは抑制される。
（２）パルスジェネレータ部においてスルーレートを変更する構成とすることで、スルーレート変更部をマイコンの外に設ける必要がない。これにより、パルスジェネレータ部にスルーレート変更部の機能を持たせることができ、より簡単な構成とすることができる。
【００５５】
（本発明の第３の実施の形態）
第３の実施の形態に係る静電タッチスイッチ装置１０は、スルーレート、周波数の変更をタッチ容量Ｃｔの値に応じて、段階的に変更させる構成である。周波数、スルーレートの変更は、パルスジェネレータ部２２０で行なう。その他の構成は第１の実施の形態と同様であるので、説明は省略する。
【００５６】
図７は、本発明の第３の実施の形態に係る静電タッチスイッチ装置における（ａ）タッチ容量Ｃｔ、（ｂ）非タッチ時のパルス波Ｓ３１、（ｃ）タッチ時のパルス波Ｓ３２を示す波形図である。図７（ａ）タッチ容量Ｃｔの容量値Ｃ１、Ｃ２、Ｃ３の閾値に応じて、タッチ時のパルス波Ｓ３２の周波数、スルーレートの変更を行なう。
【００５７】
ここで、図７（ｂ）で示す非タッチ時の駆動波は、パルスジェネレータ部２２０から出力されるパルス波Ｓ３１である。このパルス波３１は、タッチ容量Ｃｔの順次大きな容量値Ｃ１、Ｃ２、Ｃ３に応じて、周波数が順次大きなｆａ、ｆｂ、ｆｃ、ｆｄ、スルーレートが順次大きなＳＲａ、ＳＲｂ、ＳＲｃ、ＳＲｄであるパルス波３２に変更される。すなわち、タッチ電極１００の検出する容量値に比例して、スルーレートを大きくしてタッチ電極１００に印加される。また、タッチ電極１００の検出する容量値に比例して、周波数を大きくしてタッチ電極１００に印加される。
【００５８】
（静電タッチスイッチ装置の動作）
図８は、本発明の第３の実施の形態に係る静電タッチスイッチ装置におけるタッチ電極駆動の動作フローを示すフローチャートである。以下、このフローチャートのステップに従って動作を説明する。
【００５９】
静電タッチスイッチ装置１０のタッチ電極駆動の動作フローがスタートすると、まず、マイコン２００により初期設定が行われる。制御部２３０は、駆動波として所定の周波数、スルーレートを有する台形波として図７（ｂ）で示すパルス波Ｓ３１を生成する（Ｓｔｅｐ２１）。初期設定値は、パルス波Ｓ３１であり、周波数ｆａ、スルーレートＳＲａの台形波である。
【００６０】
制御部２３０は、パルス波Ｓ３１でタッチ電極１００を駆動する（Ｓｔｅｐ２２）。
【００６１】
マイコン２００は、制御部２３０において、Ａ/Ｄ変換器３２０から容量検出部２１０に入力される値に基づいてタッチ容量Ｃｔを算出する。マイコン２００は、制御部２３０において、タッチ容量がＣ１以上かどうかを判断する。タッチ容量がＣ１以上でない場合はＳｔｅｐ２４へ進み、タッチ容量がＣ１以上である場合はＳｔｅｐ２５へ進む（Ｓｔｅｐ２３）。
【００６２】
制御部２３０は、パルスジェネレータ部２２０において、周波数をｆａ、スルーレートをＳＲａに設定する（Ｓｔｅｐ２４）。その後、Ｓｔｅｐ２２、２３へ戻り、電極駆動、タッチ検出の有無判断を繰り返す。
【００６３】
次に、マイコン２００は、制御部２３０において、タッチ容量がＣ２以上かどうかを判断する。タッチ容量がＣ２以上でない場合はＳｔｅｐ２６へ進み、タッチ容量がＣ２以上である場合はＳｔｅｐ２７へ進む（Ｓｔｅｐ２５）。
【００６４】
制御部２３０は、パルスジェネレータ部２２０において、周波数をｆｂ、スルーレートをＳＲｂに設定する（Ｓｔｅｐ２６）。その後、Ｓｔｅｐ２２、２３へ戻り、電極駆動、タッチ検出の有無判断を繰り返す。
【００６５】
次に、マイコン２００は、制御部２３０において、タッチ容量がＣ３以上かどうかを判断する。タッチ容量がＣ３以上でない場合はＳｔｅｐ２８へ進み、タッチ容量がＣ３以上である場合はＳｔｅｐ２９へ進む（Ｓｔｅｐ２７）。
【００６６】
制御部２３０は、パルスジェネレータ部２２０において、周波数をｆｃ、スルーレートをＳＲｃに設定する（Ｓｔｅｐ２８）。その後、Ｓｔｅｐ２２、２３へ戻り、電極駆動、タッチ検出の有無判断を繰り返す。
【００６７】
制御部２３０は、パルスジェネレータ部２２０において、周波数をｆｄ、スルーレートをＳＲｄに設定する（Ｓｔｅｐ２９）。その後、Ｓｔｅｐ２２、２３へ戻り、電極駆動、タッチ検出の有無判断を繰り返す。
【００６８】
上記のフローは、停止の割込み信号が入力されるまで繰り返し実行される。
【００６９】
（第３の実施の形態の効果）
本発明の第３の実施の形態によれば、第１、２の実施の形態の効果に加えて次のような効果を有する。すなわち、タッチ電極の静電容量を検出する際に、タッチ容量の上昇に合わせて、駆動波のスルーレート、周波数を動的に変更する。スルーレートの切り替えラインＣ１、Ｃ２、Ｃ３を超える毎に、駆動波形のスルーレート又は周波数を大きくしていく。非タッチ時はタッチ容量の上昇が無いためスルーレート又は周波数が小さいままで、輻射ノイズの高調波成分レベルを低減することができる。また、タッチ時はスルーレート又は周波数が大きくなり電極への充電時間を短縮することができる。
【００７０】
以上、本発明に好適な実施の形態を説明したが、本発明はこの実施の形態に限定されるものではなく、その要旨を変更しない範囲内で種々の変形、応用が可能である。
【符号の説明】
【００７１】
１０…静電タッチスイッチ装置
１００…タッチ電極
２００…マイコン
２１０…容量検出部
２２０…パルスジェネレータ部
２３０…制御部
２４０…スルーレート変更部
３１０…バッファ
３２０…Ａ/Ｄ変換器
４００…指
５００…電界
Ｒ…抵抗
ＳＲ１、ＳＲ２、ＳＲ、ＳＲａ、ＳＲｂ、ＳＲｃ、ＳＲｄ…スルーレート
Ｓ１１、Ｓ１２、Ｓ２１、Ｓ２２、Ｓ３１、Ｓ３２…パルス波形
ｆａ、ｆｂ、ｆｃ、ｆｄ…周波数
Ｃｔ、Ｃ１、Ｃ２、Ｃ３…タッチ容量
【図１】
2015135543.tif 000003
【図２】
2015135543.tif 000004
【図３】
2015135543.tif 000005
【図４】
2015135543.tif 000006
【図５】
2015135543.tif 000007
【図６】
2015135543.tif 000008
【図７】
2015135543.tif 000009
【図８】
2015135543.tif 000010